(57)【要約】【課題】十分な反射光量が得られ、安定なフォーカシング、トラッキングを可能とし、エッジの揺らぎを抑え、広い範囲で膜厚を選択することができる光学的情報記録媒体を提供する。【解決手段】透明基板１０上に第１の保護層１１と、光ビームを照射して反射率を変化させた記録部を形成する記録層１３と、第２の保護層１４と、反射層１５とを備え光学的情報記録媒体において、第１の保護層１１と記録層１３との間に高屈折率層１２を形成し、この高屈折率層１２を介在する層構成を取ることにより、記録波長における記録部の反射率を未反射率よりも高くするようにした。【選択図】  図２
2004213893.tif 000002
【特許請求の範囲】
【請求項１】
透明基板上に形成された高屈折率層と、この高屈折率層上に形成された第１の保護層と、この第１の保護層上に形成され、光学的特性が未記録部と異なる記録部を形成可能な記録層と、この記録層上に形成された第２の保護層と、この第２の保護層上に形成された反射層とを備え、
上記層構成において、上記高屈折率層の屈折率が上記第１の保護層の屈折率よりも大きく、上記第１及び第２の保護層がＺｎＳ：ＳｉＯ２、上記記録層がＧｅＳｂＴｅ、上記高屈折率層がＳｉ、上記反射層がＡｌ合金からなり、上記記録層は、記録波長における記録時に、結晶状態から非晶質に変化されるとともに、記録部の反射率が未記録部の反射率よりも高くなることを特徴とする光学的情報記録媒体。
【発明の詳細な説明】
【技術分野】
【０００１】
本発明は、レーザビーム、電子線ビーム等の照射により記録層に原子配列の変化にともなう光学的特性の変化を生じさせ、情報の記録・消去を繰り返して行い、この光学的特性変化を検出して情報を記録、再生する光学的情報記録媒体に関する。
【背景技術】
【０００２】
記録消去が可能な情報記録媒体は、透明基板に第一の保護層と記録層と第２の保護層と反射層とを順に積層した構造を持つ。基板はガラスやプラスチック材料（例えばポリメチルメタクリレート樹脂やポリカーボネート樹脂等）から成り、第１及び第２の保護層はＺｎＳ，ＳｉＯ２，Ａｌ２Ｏ３およびこれらの混合物からなる。記録層３はＧｅＳｂＴｅなどカルコゲナイドからなり、これらは真空蒸着、スパッタリングなどの堆積方法により形成される。また反射層はＡｌ，Ａｕまたはこれらを母材としＴｉ，Ｍｏ，Ｚｒ，Ｃｒなどを含む合金からなる。
【０００３】
このような情報記録媒体を使用して例えば次のように上の記録・消去をすることができる。まず、情報記録媒体に光ビームを全面に照射して加熱し、記録層を結晶性の高い状態（原子が比較的正しく配列された状態、以下結晶状態と呼ぶ）にする。次に情報の書き込み（記録）のため短い強いパルス光を照射し記録層を加熱溶融後、急冷にする。するとパルス光照射部は結晶性が低下した状態（原子配列が乱れた状態、以下、非晶質という）となる。
【０００４】
上記の結晶状態と非晶質状態では原子配列の構造が異なることから、光学的性質（透過率、反射率）が変化し情報を記録することができる。このようにして、書き込まれた情報はついで記録部に長い弱いパルス光を照射し、融点以下で加熱徐冷することにより消去することができる。これは記録部が元の状態である結晶状態に戻るためである。
【０００５】
また、弱い連続したレーザパワー（バイアスパワー）に、強く短いパルスを重畳したレーザパワー（記録パワー）を用いることにより、以前に形成された記録部（非晶質状態）を消去（結晶化）しながら同時に新しい記録部を形成するいわゆるオーバーライトによって上記の状態を実現できる。
【０００６】
実際の記録媒体は上記の様に結晶と非晶質の反射率変化を信号とするため、これらの各層の膜厚は保護層／記録層及び保護層／反射層各界面の光学的干渉効果を考慮して設計される。よって媒体に使用される材料の光学定数により、光学的反射率変化が大きくとれる最適な膜厚が存在する。
【０００７】
例えば記録層材料としてＧｅＳｂＴｅを用い、反射層としてＡｌを用い、保護層としてＺｎＳ：ＳｉＯ２を用いた場合の第２の保護層膜厚に対する記録状態（非晶質）と未記録状態（結晶）の反射率を計算すると、最大反射率変化の得られる第２の保護層の膜厚は１０〜２０ｎｍ程度と１３０ｎｍ〜１５０ｎｍのいずれかがよい。ただし、膜厚１０〜２０ｎｍのときには記録時に反射率が下がる向きに記録され、膜厚１３０ｎｍ〜１５０ｎｍのときには記録時に反射率が上がる向きに記録される。
【０００８】
光学的にはこの様な２つの膜厚において記録時に反射率変化の大きくとれる膜厚が存在するが、保護層の膜厚が厚くなると記録層から反射層への熱の流れが阻害され、レーザパワーの変調により十分な急冷のコントロールができず、記録特性が劣化することが知られている（例えばT.OHTA et al.JJAP.VOL 128(1989)SUPPLEMENT28-3、pp123-128 ）。従って、従来記録層としてＧｅＳｂＴｅのような記録材料を用いる場合、第２保護層の膜厚は１０ｎｍ〜２０ｎｍが用いられ、記録時に反射率が下がる向きに記録されるのが一般的であった。
【０００９】
この様な光ディスクを用いたデジタルデータの記録方法を図８に示す。（Ａ）は、同じ形状の記録マーク６を形成し、そのマーク中心間の間隔から情報をえるマーク位置記録を示し、（Ｂ）は記録されたマークの長さ７から情報を得るマーク長記録を示す。
【発明の開示】
【発明が解決しようとする課題】
【００１０】
従来のマーク位置記録に適した膜厚構成においては、ディスク上の記録面積（非晶質化領域）はその他の未記録領域（結晶）に比べて大きくない。一方マーク長記録を行う場合、ディスク上の記録面積はマーク位置記録に比べて大きくなる。例えば記録マークの直径を０．７８μｍと仮定し同一密度をもつマーク位置記録とマーク長記録におけるディスク上の未記録領域に対する記録領域の面積比はマーク位置記録の場合２６％であるのに対し、マーク長記録の場合４４％となる。これらの記録方法を従来の記録時に反射率が下がる方向に記録される記録媒体に用いた場合、記録領域の面積比の大きいものほど再生時には記録前に比べて平均反射率は低下する。従来用いられてきたマーク位置記録の場合、記録時に反射率が下がる方向に記録されてもある程度の反射光量が得られ、通常の光ディスクドライブでフォーカシング、トラッキングして信号を再生することが可能であった。
【００１１】
しかしながらさらに高密度化するためにマーク位置記録において記録マークを詰めて記録したり、再生を行う場合、この様な記録時に反射率が下がるディスクを用いた場合、全体の面積に対して記録領域の面積が大きくなるためその結果、平均反射率がこれまでの６０％以下まで低下することになる。先に述べた記録媒体において、第２の保護層の膜厚が２０ｎｍ程度の場合、平均反射率は１０％以下となる。一般に安定にフォーカシング、トラッキングを行うためには最低でも１０％程度の反射率が必要なことからこのような構成をもつ場合、フォーカシング、トラッキングに必要な反射光量が得られないという問題点がある。反射率を上げるためには保護層の膜厚を厚くすればよいが、このようにすると、反射率変化量を最大にすることができないという問題が生じる。
【００１２】
また従来の記録時に反射率が下がる構成の場合、反射層の裏面からの光の逃げがないとすると、記録時に反射率が低くなることから、記録部の吸収率が大きく未記録部の吸収率が小さいことになる。このため、記録部に新しいマークをオーバライト記録する場合と未記録部に新しいマークをオーバライト記録する場合とでは吸収率が異なることから記録時の温度の上がり方が異なる。さらに未記録部は結晶からなるため溶融するには潜熱を必要とし、同じレーザパワーで加熱した場合さらに温度の上がり方に差がでる。このため溶融急冷により形成された記録マークの大きさが異なることになる。このため記録マークのエッジ部に情報をもつ記録方式を用いた場合、エッジの位置が場所により揺らぐという問題点があった。
【００１３】
本発明は上記事情に鑑みてなされたものでその目的とするところは、十分な反射光量が得ら安定なフォーカシング、トラッキングを可能とする光学的情報記録媒体を提供することにある。
【００１４】
また、エッジの揺らぎを抑えた記録を可能とする光学的情報記録媒体を提供することにある。さらに、膜厚変動に対する未記録部の反射率変化を少なくすることにより、広い範囲で膜厚を選択することができ、膜厚精度の制御が容易である光学的情報記録媒体を提供することにある。
【課題を解決するための手段】
【００１５】
この発明は、透明基板上に形成された高屈折率層と、この高屈折率層上に形成された第１の保護層と、この第１の保護層上に形成され、光学的特性が未記録部と異なる記録部を形成可能な記録層と、この記録層上に形成された第２の保護層と、この第２の保護層上に形成された反射層とを備え、上記層構成において、上記高屈折率層の屈折率が上記第１の保護層の屈折率よりも大きく、上記第１及び第２の保護層がＺｎＳ：ＳｉＯ２、上記記録層がＧｅＳｂＴｅ、上記高屈折率層がＳｉ、上記反射層がＡｌ合金からなり、上記記録層は、記録波長における記録時に、結晶状態から非晶質に変化されるとともに、記録部の反射率が未記録部の反射率よりも高くなることを特徴とする光学的情報記録媒体を提供するものである。
【発明の効果】
【００１６】
この発明の光学的情報記録媒体は、記録部の吸収率が小さく、未記録部の吸収率が大きいため記録部に新しいマークをオーバライト記録する場合と未記録部に新しいマークをオーバライト記録する場合での温度の上がり方を補正でき、同じ大きさの記録マークを形成できる。このためエッジの揺らぎを抑えた記録が可能となる。
【発明を実施するための最良の形態】
【００１７】
以下に本発明の実施例を図面を参照して説明する。図１は本発明の実施例に係わる光学的情報記録媒体の断面図である。記録媒体は基板１０上に高屈折率層１１と第一の保護層１２と記録層１３と第２の保護層１４と反射層１５とを備えた構造を持つ。基板１０はガラスやプラスチック材料（例えばポリメチルメタクリレート樹脂やポリカーボネート樹脂等）から成り、高屈折率層１１はＳｉからなる。また第１及び第２の保護層１２，１４はＺｎＳ，ＳｉＯ２，Ａｌ２Ｏ３およびこれらの混合物からなる。記録層１３はＧｅＳｂＴｅなどカルコゲナイドからなり、これら各層は真空蒸着、スパッタリングなどの堆積方法により形成することができる。また反射層１５はＡｌ，Ａｕまたはこれらを母材としＴｉ，Ｍｏ，Ｚｒ，Ｃｒなどを含む合金からなる。反射層１５は光学的な反射の目的のほかに記録層１３で発生した熱を効果的に放熱する役割を持つためこの膜厚は１００ｎｍ以上が望ましい。
【００１８】
図２はこの層構成をもつ記録媒体の第一の保護層膜厚を変化させたときの記録部、未記録部の反射率及び反射率変化量を示すものである。このとき高屈折率層１１にはＳｉ，５０ｎｍ、記録層１３にはＧｅＳｂＴｅ，２０ｎｍ、第２の保護層１４の膜厚は５０ｎｍ、反射層１５にはＡｌ，２００ｎｍを用いた。基板側から入射した光は各層界面で多重反射を起こすため、膜厚により反射率の変化の仕方が異なる。図２の場合、第１の保護層１２の膜厚が１２０ｎｍ〜１７０ｎｍ、３００〜３４０ｎｍの範囲で記録すると反射率が増加する構成となる。この構成において、第一保護層１２の膜厚を特に１５０ｎｍ特に３４０ｎｍとした場合、反射率変化量が最大の１８％となる。この時未記録部の反射率は２０％であり、記録後はこれより反射率が増加する。従って安定なフォーカシング、トラッキングが可能となり、かつ最大の反射率変化量がとれる。第一保護層に適当な膜厚としては最大反射率変化量の５０％以上の変化量をとれる膜厚すなわち１２０ｎｍ〜１７０ｎｍまたは３００ｎｍ〜３４０ｎｍ、特に好ましくは１２０〜１８０ｎｍ、または３２０〜３４０ｎｍが適当である。
【００１９】
図３はＳｉからなる高屈折率層１１の膜厚に対する反射率の変化を同様に示したものである。高屈折率層１１の膜厚の増加により１４ｎｍ以上で記録時に反射率が増加する構成となる。これはこの膜厚以上で干渉効果が現れるためである。さらに膜厚を増加していくと、反射率は低下し、５０ｎｍで反射率は２０％、反射率変化量は最大の１８％を得ることができる。
【００２０】
これ以上膜厚を厚くすると、反射率変化量が低下する。従って、反射率と反射率変化量の点から、高屈折率層１１の膜厚は２０ｎｍ〜６０ｎｍが好ましい。Ｓｉの複素屈折率は波長６９０ｎｍで４．２３−０．５７ｉであるが、高屈折率層として用いることのできるのはこれと同じ様な複素屈折率をもつ材料であればこれに限らない。たとえばＧｅを含む合金であればほぼ同様の光学的特性が得られる。
【００２１】
なお、高屈折率層に代えて、金属層を設けた場合、金属層の膜厚変化に対して未記録部の反射率変化が大きい。このため、金属層の膜厚を精度よく制御する必要がある。
【００２２】
図４は第２の保護層膜厚を変化させたときの記録部、未記録部の反射率及び反射率変化量を示すものである。保護層膜厚に対してほとんどの領域で記録時に反射率の増加する十分な反射率変化量が得られる。２０ｎｍ〜１４０ｎｍ、１７０〜３４０ｎｍの範囲であれば１８％の反射率変化量と未記録部で２０％以上の反射率が得られる。この様に本発明の場合、第２保護層の膜厚が２０ｎｍと薄くしても十分な反射率変化量が得られるため急冷化が可能であり、従来の構成で問題点であったレーザパワーの変調による急冷のコントロールも可能となる。
【００２３】
図５は記録層膜厚を変化させた時の記録部、未記録部の反射率及び反射率変化量を示すものである。記録層膜厚は５０ｎｍ以下であれば反射率変化が得られるが未記録部の反射率と反射率変化の点から４０ｎｍ以下が望ましい。
【００２４】
ここでは波長６９０ｎｍでの計算結果を示したが同様にして記録に用いる波長によりこの膜厚は変化する。また基板上に光ビームをトラッキングするために設けた溝形状によっても最適膜厚は変化するがいずれにしろ各層の膜厚を記録時に反射率の増加する様調節しかつ未記録部の反射率を１０％以上となるようにすれば本発明の主旨からは逸脱しない。また、反射率変化量は、５％以上が好適である。
【００２５】
次に、このように構成された情報記録媒体を用いて情報記録を行う場合について説明する。ここで使用する情報記録媒体としては、直径９０ｍｍ、厚さ１．２ｍｍの溝付きポリカーボネート製円盤ディスク上に、高屈折率層である厚さ５０ｎｍのＳｉ層、第１の保護層である厚さ１５０ｎｍのＺｎＳ：ＳｉＯ２層、記録層である厚さ２０ｎｍのＧｅＳｂＴｅ（組成は原子比で２：２：５）層、第２の保護層である厚さ５０ｎｍのＺｎＳ：ＳｉＯ２層、並びに反射層である厚さ２０００オングストロームのＡｌ層を真空スパッタリング法を用いて順次形成してなる光ディスクを使用した。
【００２６】
図６は、本発明の情報記録媒体を用いて情報の記録・再生を行うための装置を示す説明図である。光ディスク２１は、モータ２２により一定の速度で回転する。このモータ２２は、モータ制御回路３８によって制御されている。光ディスク２１に対する情報の記録・再生は、光学ヘッド２３によって行われる。この光学ヘッド２３は、リニアモータ５１の可動部を構成する駆動コイル３３に固定されており、この駆動コイル３３はリニアモータ制御回路３７に接続されている。また、リニアモータ５１の固定部には、図示しない永久磁石が設けられており、駆動コイル３３がリニアモータ制御回路３７によって励磁されることにより、光学ヘッド２３は光ディスク２１の半径方向にほぼ等速で移動するようになっている。
【００２７】
上記光学ヘッド２３には、対物レンズ２６が図示しないワイヤあるいは板ばねによって保持されており、この対物レンズ２６は、駆動コイル２５によってフォーカシング方向（レンズの光軸方向）に移動し、駆動コイル２４によってトラッキング方向（レンズの光軸と直交方向）に移動可能となっている。
【００２８】
レーザ制御回路３４によって駆動するレーザダイオード（半導体レーザ発振器）２９より発生したレーザ光は、コリメータレンズ３１ａ、ハーフプリズム３１ｂ、対物レンズ２６を介して光ディスク２１上に照射され、この光ディスク２１からの反射光は、対物レンズ２６、ハーフプリズム３１ｂ、集光レンズ３０ａ，およびシリンドリカルレンズ３０ｂを介して光検出器２８に導かれる。この光検出器２８は、４分割の光検出セル２８ａ，２８ｂ，２８ｃ，２８ｄによって構成されている。
【００２９】
光検出器２８の光検出セル２８ａの出力信号は、増幅器３２ａを介して加算器５０ａ，５０ｃの一端に供給され、光検出セル２８ｂの出力信号は、増幅器３２ｂを介して加算器５０ｂ，５０ｄの一端に供給され、光検出セル２８ｃの出力信号は、増幅器３２ｃを介して加算器５０ｂ，５０ｃの他端に供給され、光検出セル２８ｄの出力信号は、増幅器３２ｄを介して加算器５０ａ，５０ｄの他端に供給されるようになっている。この加算器５０ａの出力信号は、差動増幅器ＯＰ１の反転入力端に供給され、この差動増幅器ＯＰ１の非反転入力端には加算器５０ｂの出力信号が供給される。これにより、差動増幅器ＯＰ１は、加算器５０ａ，５０ｂの差に応じてトラック差信号をトラッキング制御回路３６に供給するようになっている。このトラッキング制御回路３６は、差動増幅器ＯＰ１から供給されるトラック差信号に応じてトラック駆動信号を作成するものである。
【００３０】
トラッキング制御回路３６から出力されるトラック駆動信号は、トラッキング方向の駆動コイル２４に供給される。また、トラッキング制御回路３６で用いられたトラック差信号は、リニアモータ制御回路３７に供給されるようになっている。リニアモータ制御回路３７は、トラッキング制御回路３６からのトラック差信号やＣＰＵ４３からの移動制御信号に応じて後述するリニアモータ５１内の駆動コイル（導線）３３に移動速度に対応した電圧を印加するものである。
【００３１】
リニアモータ制御回路３７には、リニアモータ５１内の駆動コイル３３が磁気部材（図示しない）から発生する磁束を横切る瞬間に生じる駆動コイル３３の内部の電気的変化を利用して、駆動コイル３３と磁気部材との相対速度、すなわちリニアモータ５１の移動速度を検知する速度検知回路（図示しない）が設けられている。
【００３２】
一方、上記加算器５０ｃの出力信号は、差動増幅器ＯＰ２の反転入力端に供給され、この差動増幅器ＯＰ２の非反転入力端には加算器５０ｄの出力信号が供給される。これにより、差動増幅器ＯＰ２は、加算器５０ｃ，５０ｄの出力の差に応じてフォーカス点に関する信号をフォーカシング制御回路３５に供給するようになっている。このフォーカスシング制御回路３５の出力信号は、フォーカシング駆動コイル２５に供給され、レーザ光が光ディスク２１上で常時ジャストフォーカスとなるように制御される。
【００３３】
上記のようにフォーカシング、トラッキングを行った状態での光検出器２８の各光検出セル２８ａ〜２８ｄの出力の和信号、すなわち加算器５０ａ，５０ｂからの出力信号には、トラック上に形成されたピット（記録情報）からの反射率の変化が反映されている。この信号は、信号処理回路３９に供給され、この信号処理回路３９において記録情報、アドレス情報（トラック番号、セクタ番号等）が再生される。
【００３４】
また、レーザダイオード２９のレーザ発光出力は、フォトダイオード５２でモニタされ、電気信号に変換されてレーザ制御回路３４にフィードバックされて、レーザダイオード２９のレーザ発光出力の安定化が行われる。このレーザ制御回路３４には、マイクロプロセッサ等で構成される記録データ信号制御回路５３からレーザ発光オンオフ信号と記録データ信号が入力される。レーザ制御回路３４から出力される駆動電流には、高周波電流発生回路５４からカップリングコンデンサ５５を通して後述する高周波電源が重畳される。
【００３５】
また、この装置においては、それぞれフォーカシング制御回路３５、トラッキング制御回路３６、リニアモータ制御回路３７、およびＣＰＵ４３の間で情報の授受を行うために用いられるＤ／Ａ変換器４２が設けられている。トラッキング制御回路３６は、ＣＰＵ４３からＤ／Ａ変換器４２を介して供給されるトラックジャンプ信号に応じて対物レンズ２６を移動させ、１トラック分だけビーム光を移動させるようになっている。レーザ制御回路３４、フォーカシング制御回路３５、トラッキング制御回路３６、リニアモータ制御回路３７、モータ制御回路３８、信号処理回路３９、記録データ信号制御回路５３、高周波電流発生回路５４等は、バスライン４０を介してＣＰＵ４３によって制御されるようになっており、このＣＰＵ４３はメモリ４４に記憶されたプログラムによって所定の動作を行うようになっている。
【００３６】
上記構成の装置において、あらかじめアルゴンレーザを照射して記録層を結晶化させた光ディスクを設置し、モータを回転させて信号を記録した。このとき、回転数は３０００ｒｐｍとした。記録信号は、最も短い長さのマークが１．６μｍとなるようにした１、７ＲＬＬ（ランレングスリミテッド）コードのランダムデータ（異なる長さのマーク）を用いた。この結果、記録前、記録後とも安定にフォーカシング、トラッキングが可能であった。また、このときの未記録部の反射率は２２％、記録部の反射率は４０％であった。
【００３７】
図７は、このときの再生信号を示す。信号振幅の中間点をデジタルデータのスライスレベルとし、信号と比較しながらデジタルデータが作り出される。実際に再生したデジタル信号と、記録に用いた１、７ＲＬＬコードのランダムデータを比較したところ完全に一致し、このコードの記録・再生が可能であることが確認された。なお、本発明は、マーク長記録に限らず、マーク位置記録にも適用できる。
【００３８】
以上説明したように、この発明の光学的情報記録媒体は、基板と第１保護層との間に高屈折率層を挿入することにより、これまでの各層界面の干渉に加えてさらに高屈折率層／第一保護層界面からの干渉を利用し、従来の記録時に反射率の下がる膜厚構成ではなく、記録時に反射率の上がる膜厚構成としている。このことにより、マーク長記録を行っても記録部は反射率が増加し、十分な反射光量が得られ安定なフォーカシング、トラッキングが可能となる。
【００３９】
また、この発明の光学的情報記録媒体は、記録部の吸収率が小さく、未記録部の吸収率が大きいため記録部に新しいマークをオーバライト記録する場合と未記録部に新しいマークをオーバライト記録する場合での温度の上がり方を補正でき、同じ大きさの記録マークを形成できる。このためエッジの揺らぎを抑えた記録が可能となる。
【００４０】
さらに、この発明の光学的情報記録媒体は、高屈折率層は吸収が少ないため膜厚の変化に対する反射率の変化が緩やかであり、広い範囲で膜厚を選択することができ、製造上のマージンを広げることが可能である。
【００４１】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００４２】
【図１】本発明に係る情報記録媒体の一実施例を示す断面図。
【図２】本発明に係る情報記録媒体において、第１の保護層の厚さを変化させたときの記録部および未記録部の反射率並びに反射率変化量を示すグラフ。
【図３】本発明に係る情報記録媒体において、高屈折率層の厚さを変化させたときの記録部および未記録部の反射率並びに反射率変化量を示すグラフ。
【図４】本発明に係る情報記録媒体において、第２の保護層の厚さを変化させたときの記録部および未記録部の反射率並びに反射率変化量を示すグラフ。
【図５】本発明に係る情報記録媒体において、記録層の厚さを変化させたときの記録部および未記録部の反射率並びに反射率変化量を示すグラフ。
【図６】本発明の情報記録媒体を用いて情報の記録・再生を行うための装置を示す説明図。
【図７】図６に示す装置を用いて記録された情報記録媒体における再生信号を示す説明図。
【図８】記録媒体の記録方法を示し、（Ａ）はマーク位置記録を説明するための図、（Ｂ）はマーク長記録を説明するための図。
【符号の説明】
【００４３】
１０…透明基板、１１…高屈折率層、１２…第１の保護層、１３…記録層、１４…第２の保護層、１５…反射層、２１…光ディスク、２２…モータ、２３…光学ヘッド、２６…対物レンズ、２４，２５，３３…駆動コイル、２８…光検出器、２８ａ，２８ｂ，２８ｃ，２８ｄ…光検出セル、２９…レーザダイオード、３０ａ…集光レンズ、３０ｂ…シリンドリカルレンズ、３１ａ…コリメータレンズ、３１ｂ…ハーフプリズム、３２ａ，３２ｂ，３２ｃ，３２ｄ…増幅器、３４…レーザ制御回路、３５…フォーカシング制御回路、３６…トラッキング制御回路、３７…リニアモータ制御回路、３９…信号処理回路、４０…バスライン、４２…Ｄ／Ａ変換器、４３…ＣＰＵ、４４…メモリ、５０ａ，５０ｂ，５０ｃ，５０ｄ…加算器、５１…リニアモータ、５２…フォトダイオード、５３…記録データ信号制御回路、５４…高周波電流発生回路、５５…カップリングコンデンサ。
【図１】
2004213893.tif 000003
【図２】
2004213893.tif 000004
【図３】
2004213893.tif 000005
【図４】
2004213893.tif 000006
【図５】
2004213893.tif 000007
【図６】
2004213893.tif 000008
【図７】
2004213893.tif 000009
【図８】
2004213893.tif 000010